(57)【特許請求の範囲】
【請求項１】
ワイヤレス通信ネットワークにおいてデータを送信する方法であって、
第１の局において、前記第１の局と通信していない第２の局によって送信された空間フィードバック情報（ＳＦＩ）を受信することと、
前記第２の局への干渉を低減するために、前記ＳＦＩに基づいて前記第１の局から第３の局にステアリングして送信データを送信することと
を備え、
前記第２の局からの前記ＳＦＩに含まれた前記第１の局から前記第２の局への方向を示すチャネル方向インジケータ（ＣＤＩ）に基づいてプリコーディング行列を選択することをさらに備え、前記第１の局から第３の局にステアリングして前記送信データを送信することが、前記プリコーディング行列に基づいて前記送信データを送信することを備える方法。
【請求項２】
前記第３の局からのプリコーディング情報を受信することと、
前記第２の局からの前記ＳＦＩと前記第３の局からの前記プリコーディング情報とに基づいてプリコーディング行列を選択することとをさらに備え、前記送信データが、前記プリコーディング行列に基づいて前記第１の局から前記第３の局に送信される
請求項１に記載の方法。
【請求項３】
前記ＳＦＩが空間ヌル化情報を備え、前記送信データが、前記第２の局から離れる方向に前記送信データをステアリングするために前記空間ヌル化情報に基づいて前記第１の局によって送信される、請求項１に記載の方法。
【請求項４】
前記空間ヌル化情報が、前記ＣＤＩを備える、請求項３に記載の方法。
【請求項５】
前記ＳＦＩが、空間ヌル化情報と、前記第１の局による前記空間ヌル化情報の使用による前記第２の局への干渉の低減を示す送信ヌル化利得とを備え、前記送信データを前記送信することが、
前記送信ヌル化利得に基づいて送信パワーレベルを判断することと、
前記送信パワーレベルで前記第１の局からの前記送信データを送信することと
を備える、請求項１に記載の方法。
【請求項６】
前記ＳＦＩが、前記第２の局による受信機空間処理の使用による前記第２の局への干渉の低減を示す受信ヌル化利得を備え、前記送信データを前記送信することが、
前記受信ヌル化利得に基づいて送信パワーレベルを判断することと、
前記送信パワーレベルで前記第１の局からの前記送信データを送信することと
を備える、請求項１に記載の方法。
【請求項７】
前記ＳＦＩが、前記第１の局または第４の局によって前記第２の局に送信されたＳＦＩ要求に応答して、前記第２の局によって前記第１の局に送信される、請求項１に記載の方法。
【請求項８】
ＳＦＩを少なくとも１つの干渉局に送信するように前記第３の局に依頼するために、ＳＦＩ要求を前記第３の局に送信すること
をさらに備える、請求項１に記載の方法。
【請求項９】
前記第１の局がサービングセルを備え、前記第２の局が被干渉ユーザ機器（ＵＥ）を備え、前記第３の局が被サービスＵＥを備える、請求項１に記載の方法。
【請求項１０】
前記ＳＦＩを前記受信することが、前記被干渉ＵＥによって前記サービングセルに送信された前記ＳＦＩを受信することを備える、請求項９に記載の方法。
【請求項１１】
前記ＳＦＩを前記受信することが、前記被干渉ＵＥによって第２のセルに送信され、前記サービングセルにフォワーディングされた前記ＳＦＩを受信することを備える、請求項９に記載の方法。
【請求項１２】
前記第１の局がユーザ機器（ＵＥ）を備え、前記第２の局が被干渉セルを備え、前記第３の局が前記ＵＥのためのサービングセルを備える、請求項１に記載の方法。
【請求項１３】
ワイヤレス通信のための装置であって、
第１の局において、前記第１の局と通信していない第２の局によって送信された空間フィードバック情報（ＳＦＩ）を受信するための手段と、
前記第２の局への干渉を低減するために、前記ＳＦＩに基づいて前記第１の局から第３の局にステアリングして送信データを送信するための手段と
を備え、
前記第２の局からの前記ＳＦＩに含まれた前記第１の局から前記第２の局への方向を示すチャネル方向インジケータ（ＣＤＩ）に基づいてプリコーディング行列を選択するための手段をさらに備え、前記第１の局から第３の局にステアリングして前記送信データを送信するための手段が、前記プリコーディング行列に基づいて前記送信データを送信するための手段を備える装置。
【請求項１４】
前記第３の局からのプリコーディング情報を受信するための手段と、
前記第２の局からの前記ＳＦＩと前記第３の局からの前記プリコーディング情報とに基づいてプリコーディング行列を選択するための手段とをさらに備え、前記送信データが、前記プリコーディング行列に基づいて前記第１の局から前記第３の局に送信される
請求項１３に記載の装置。
【請求項１５】
前記ＳＦＩが空間ヌル化情報を備え、前記送信データが、前記第２の局から離れる方向に前記送信データをステアリングするために前記空間ヌル化情報に基づいて前記第１の局によって送信される、請求項１３に記載の装置。
【請求項１６】
前記ＳＦＩが、空間ヌル化情報と、前記第１の局による前記空間ヌル化情報の使用による前記第２の局への干渉の低減を示す送信ヌル化利得とを備え、前記送信データを送信するための前記手段が、
前記送信ヌル化利得に基づいて送信パワーレベルを判断するための手段と、
前記送信パワーレベルで前記第１の局からの前記送信データを送信するための手段と
を備える、請求項１３に記載の装置。
【請求項１７】
前記ＳＦＩが、前記第２の局による受信機空間処理の使用による前記第２の局への干渉の低減を示す送信ヌル化利得を備え、前記送信データを送信するための前記手段が、
前記受信ヌル化利得に基づいて送信パワーレベルを判断するための手段と、
前記送信パワーレベルで前記第１の局からの前記送信データを送信するための手段と
を備える、請求項１３に記載の装置。
【請求項１８】
ワイヤレス通信のための装置であって、
第１の局において、前記第１の局と通信していない第２の局によって送信された空間フィードバック情報（ＳＦＩ）を受信することと、前記第２の局への干渉を低減するために、前記ＳＦＩに基づいて前記第１の局から第３の局にステアリングして送信データを送信することとを行い、
前記第２の局からの前記ＳＦＩに含まれた前記第１の局から前記第２の局への方向を示すチャネル方向インジケータ（ＣＤＩ）に基づいてプリコーディング行列を選択することをさらに行い、前記第１の局から第３の局にステアリングして前記送信データを送信することが、前記プリコーディング行列に基づいて前記送信データを送信することを備えるように構成された少なくとも１つのプロセッサを備える装置。
【請求項１９】
前記少なくとも１つのプロセッサが、前記第３の局からのプリコーディング情報を受信することと、前記第２の局からの前記ＳＦＩと前記第３の局からの前記プリコーディング情報とに基づいてプリコーディング行列を選択することと、前記プリコーディング行列に基づいて前記第１の局からの前記送信データを前記第３の局に送信することとを行うように構成された、請求項１８に記載の装置。
【請求項２０】
前記ＳＦＩが空間ヌル化情報を備え、前記少なくとも１つのプロセッサが、前記第２の局から離れる方向に前記送信データをステアリングするために前記空間ヌル化情報に基づいて前記送信データを送信するように構成された、請求項１８に記載の装置。
【請求項２１】
前記ＳＦＩが、空間ヌル化情報と、前記第１の局による前記空間ヌル化情報の使用による前記第２の局への干渉の低減を示す送信ヌル化利得とを備え、前記少なくとも１つのプロセッサが、前記送信ヌル化利得に基づいて送信パワーレベルを判断することと、前記送信パワーレベルで前記第１の局からの前記送信データを送信することとを行うように構成された、請求項１８に記載の装置。
【請求項２２】
前記ＳＦＩが、前記第２の局による受信機空間処理の使用による前記第２の局への干渉の低減を示す受信ヌル化利得を備え、前記少なくとも１つのプロセッサが、前記受信ヌル化利得に基づいて送信パワーレベルを判断することと、前記送信パワーレベルで前記第１の局からの前記送信データを送信することとを行うように構成された、請求項１８に記載の装置。
【請求項２３】
コードを格納したコンピュータ読み取り可能な格納媒体であって、前記コードが、
少なくとも１つのコンピュータに、第１の局において、前記第１の局と通信していない第２の局によって送信された空間フィードバック情報（ＳＦＩ）を受信させるためのコードと、
前記少なくとも１つのコンピュータに、前記第２の局への干渉を低減するために、前記ＳＦＩに基づいて前記第１の局から第３の局にステアリングして送信データを送信させるためのコードと
を備え、
前記第２の局からの前記ＳＦＩに含まれた前記第１の局から前記第２の局への方向を示すチャネル方向インジケータ（ＣＤＩ）に基づいてプリコーディング行列を選択させるためのコードをさらに備え、前記第１の局から第３の局にステアリングして前記送信データを送信させるためのコードが、前記プリコーディング行列に基づいて前記送信データを送信させるためのコードを備えるコンピュータ読み取り可能な格納媒体。
【請求項２４】
ワイヤレス通信ネットワークにおいてデータを送受信する方法であって、
第１の局によって、前記第１の局と通信していない第２の局のための空間フィードバック情報（ＳＦＩ）を判断することと、
前記第１の局によって、前記第２の局のための前記ＳＦＩを送信することと、
前記第２の局において、前記ＳＦＩを受信することと、
前記第１の局への干渉を低減するために、前記ＳＦＩに基づいて前記第２の局から第３の局にステアリングして送信データを送信することと
前記第３の局において、前記ＳＦＩに基づいて前記第２の局によりステアリングされ、前記第２の局によって送られた前記送信データを受信することと
を備え、
前記第１の局によって送信された前記ＳＦＩに含まれた前記第２の局から前記第１の局への方向を示すチャネル方向インジケータ（ＣＤＩ）に基づいてプリコーディング行列を選択することをさらに備え、前記第２の局から第３の局にステアリングして前記送信データを送信することが、前記プリコーディング行列に基づいて前記送信データを送信することを備える方法。
【請求項２５】
前記第１の局によって第３の局のためのプリコーディング情報を判断することと、
前記プリコーディング情報を前記第３の局に送信することと、
前記第１の局への前記プリコーディング情報に基づいて前記第３の局によって送信された送信データを受信することと
をさらに備える、請求項２４に記載の方法。
【請求項２６】
前記第２の局から前記第１の局への第１のチャネル応答を判断することであって、前記ＳＦＩが、前記第１のチャネル応答に基づいて判断される、第１のチャネル応答を判断することと、
前記第３の局から前記第１の局への第２のチャネル応答を判断することであって、前記プリコーディング情報が、前記第２のチャネル応答に基づいて判断される、第２のチャネル応答を判断することと
をさらに備える、請求項２５に記載の方法。
【請求項２７】
前記ＳＦＩが空間ヌル化情報を備え、前記送信が、前記第１の局から離れる方向に前記送信をステアリングするために前記空間ヌル化情報に基づいて前記第２の局によって送信される、請求項２４に記載の方法。
【請求項２８】
前記空間ヌル化情報が、前記ＣＤＩを備える、請求項２７に記載の方法。
【請求項２９】
前記空間ヌル化情報を前記判断することが、
前記第２の局から前記第１の局へのチャネル応答を判断することと、
前記第１の局への干渉を低減するために、前記チャネル応答に基づいてプリコーディング行列のコードブックからプリコーディング行列を選択することとを備え、前記空間ヌル化情報が前記選択されたプリコーディング行列を備える
請求項２７に記載の方法。
【請求項３０】
前記ＳＦＩが、空間ヌル化情報と、前記第２の局による前記空間ヌル化情報の使用による前記第１の局への干渉の低減を示す送信ヌル化利得とを備え、前記送信が、前記送信ヌル化利得に基づいて判断された送信パワーレベルで前記第２の局によって送信される、請求項２４に記載の方法。
【請求項３１】
前記ＳＦＩが、前記第１の局による受信機空間処理の使用による前記第１の局への干渉の低減を示す受信ヌル化利得を備え、前記送信が、前記受信ヌル化利得に基づいて判断された送信パワーレベルで前記第２の局によって送信される、請求項２４に記載の方法。
【請求項３２】
前記第１の局と通信している第３の局からＳＦＩ要求を受信することをさらに備え、前記ＳＦＩが、前記ＳＦＩ要求に応答して前記第１の局によって送信される
請求項２４に記載の方法。
【請求項３３】
前記第１の局がユーザ機器（ＵＥ）を備え、前記第２の局が干渉セルを備え、前記第３の局が前記ＵＥのためのサービングセルを備える、請求項２５に記載の方法。
【請求項３４】
前記ＳＦＩを前記送信することが、前記ＳＦＩを前記干渉セルに送信することを備える、請求項３３に記載の方法。
【請求項３５】
前記ＳＦＩを前記送信することが、前記ＳＦＩを、前記干渉セルにフォワーディングするために前記サービングセルに送信することを備える、請求項３３に記載の方法。
【請求項３６】
前記第１の局がセルを備え、前記第２の局が干渉ユーザ機器（ＵＥ）を備え、前記第３の局が前記セルによってサービスされるＵＥを備える、請求項２５に記載の方法。
【請求項３７】
ワイヤレス通信のためのシステムであって、
第１の局の手段であって、前記第１の局と通信していない第２の局のための空間フィードバック情報（ＳＦＩ）を判断するための手段と、
前記第１の局の手段であって、前記第２の局のための前記ＳＦＩを送信するための手段と、
前記第２の局の手段であって、前記ＳＦＩを受信するための手段と、
前記第２の局の手段であって、前記第１の局への干渉を低減するために、前記ＳＦＩに基づいて前記第２の局から第３の局にステアリングして送信データを送信するための手段と、
前記第３の局の手段であって、前記ＳＦＩに基づいて前記第２の局によりステアリングされ、前記第２の局によって送られた前記送信データを受信するための手段と
を備え、
前記第２の局の手段であって、前記第１の局によって送信された前記ＳＦＩに含まれた前記第２の局から前記第１の局への方向を示すチャネル方向インジケータ（ＣＤＩ）に基づいてプリコーディング行列を選択するための手段をさらに備え、前記第２の局から第３の局にステアリングして前記送信データを送信するための手段が、前記プリコーディング行列に基づいて前記送信データを送信するための手段を備えるシステム。
【請求項３８】
前記第１の局によって第３の局のためのプリコーディング情報を判断するための手段と、
前記プリコーディング情報を前記第３の局に送信するための手段と、
前記第１の局への前記プリコーディング情報に基づいて前記第３の局によって送信された送信データを受信するための手段と
をさらに備える、請求項３７に記載のシステム。
【請求項３９】
前記ＳＦＩが空間ヌル化情報を備え、前記送信が、前記第１の局から離れる方向に前記送信をステアリングするために前記空間ヌル化情報に基づいて前記第２の局によって送信される、請求項３７に記載のシステム。
【請求項４０】
前記ＳＦＩは、送信を行なうためのスケジューリングデータを含む、請求項１に記載の方法。
【請求項４１】
前記ＳＦＩは、送信を行なうためのスケジューリングデータを含む、請求項１３に記載の装置。
【請求項４２】
前記ＳＦＩは、送信を行なうためのスケジューリングデータを含む、請求項１８に記載の装置。
【請求項４３】
前記ＳＦＩは、送信を行なうためのスケジューリングデータを含む、請求項２３に記載のコンピュータ読み取り可能な格納媒体。
【請求項４４】
前記ＳＦＩは、送信を行なうためのスケジューリングデータを含む、請求項２４に記載の方法。
【請求項４５】
前記ＳＦＩは、送信を行なうためのスケジューリングデータを含む、請求項３７に記載のシステム。
【請求項４６】
前記ＳＦＩは、送信を行なうためのスケジューリングデータを含み、前記スケジューリングデータは、送信を行なうためのリソースに関するリソースデータを含む、請求項１に記載の方法。
【請求項４７】
前記ＳＦＩは、送信を行なうためのスケジューリングデータを含み、前記スケジューリングデータは、送信を行なうためのリソースに関するリソースデータを含む、請求項１３に記載の装置。
【請求項４８】
前記ＳＦＩは、送信を行なうためのスケジューリングデータを含み、前記スケジューリングデータは、送信を行なうためのリソースに関するリソースデータを含む、請求項１８に記載の装置。
【請求項４９】
前記ＳＦＩは、送信を行なうためのスケジューリングデータを含み、前記スケジューリングデータは、送信を行なうためのリソースに関するリソースデータを含む、請求項２３に記載のコンピュータ読み取り可能な格納媒体。
【請求項５０】
前記ＳＦＩは、送信を行なうためのスケジューリングデータを含み、前記スケジューリングデータは、送信を行なうためのリソースに関するリソースデータを含む、請求項２４に記載の方法。
【請求項５１】
前記ＳＦＩは、送信を行なうためのスケジューリングデータを含み、前記スケジューリングデータは、送信を行なうためのリソースに関するリソースデータを含む、請求項３７に記載のシステム。
【請求項５２】
前記ＳＦＩは、送信を行なうためのスケジューリングデータを含み、前記スケジューリングデータは、送信を行なうためのリソースに関するリソースデータを含み、前記リソースデータは、時間周波数リソースを示す、請求項１に記載の方法。
【請求項５３】
前記ＳＦＩは、送信を行なうためのスケジューリングデータを含み、前記スケジューリングデータは、送信を行なうためのリソースに関するリソースデータを含み、前記リソースデータは、時間周波数リソースを示す、請求項１３に記載の装置。
【請求項５４】
前記ＳＦＩは、送信を行なうためのスケジューリングデータを含み、前記スケジューリングデータは、送信を行なうためのリソースに関するリソースデータを含み、前記リソースデータは、時間周波数リソースを示す、請求項１８に記載の装置。
【請求項５５】
前記ＳＦＩは、送信を行なうためのスケジューリングデータを含み、前記スケジューリングデータは、送信を行なうためのリソースに関するリソースデータを含み、前記リソースデータは、時間周波数リソースを示す、請求項２３に記載のコンピュータ読み取り可能な格納媒体。
【請求項５６】
前記ＳＦＩは、送信を行なうためのスケジューリングデータを含み、前記スケジューリングデータは、送信を行なうためのリソースに関するリソースデータを含み、前記リソースデータは、時間周波数リソースを示す、請求項２４に記載の方法。
【請求項５７】
前記ＳＦＩは、送信を行なうためのスケジューリングデータを含み、前記スケジューリングデータは、送信を行なうためのリソースに関するリソースデータを含み、前記リソースデータは、時間周波数リソースを示す、請求項３７に記載のシステム。
【発明の詳細な説明】
【技術分野】
【０００１】
本出願は、両方とも本発明の譲受人に譲渡され、参照により本明細書に組み込まれる、２００８年５月１５日に出願された「SPATIAL INTERFERENCE AVOIDANCE TECHNIQUES」と題する米国仮出願第６１／０５３，５６４号、および２００８年１１月２５日に出願された「SPATIAL INTERFERENCE AVOIDANCE TIMELINE」と題する米国仮出願第６１／１１７，８５２号の優先権を主張する。
【０００２】
本開示は、一般に通信に関し、より詳細には、ワイヤレス通信ネットワークにおいてデータを送信および受信するための技法に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートすることができるいくつかの基地局を含むことができる。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００５】
ＵＥは、複数の基地局のカバレージ内にある場合がある。１つの基地局がＵＥにサービスするように選択され、残りの基地局は非サービング基地局とすることができる。ＵＥは、ダウンリンク上で非サービング基地局からの高い干渉を観測し、および／またはアップリンク上で非サービング基地局に高い干渉を引き起こす場合がある。強い非サービング基地局の存在下でさえ良好なパフォーマンスを達成する方法でデータを送信することが望ましい。
【発明の概要】
【０００６】
ワイヤレス通信ネットワークにおいて空間干渉緩和を用いて（空間干渉緩和を伴って）データを送信および受信するための技法について、本明細書で説明する。空間干渉緩和は、空間ヌル化および／または受信機空間処理に基づく被干渉局における干渉の低減を指す。空間ヌル化は、被干渉局への干渉を低減するために、被干渉局から離れる方向における送信のステアリング（舵取りを行って進めること）を指す。受信機空間処理は、所望の信号成分を復元し、干渉を抑制するための複数の受信アンテナの検出を指す。空間干渉緩和は協調ビームフォーミング（ＣＥＢ）と呼ばれることもある。
【０００７】
空間干渉緩和を用いてデータを送信する１つの設計では、第１の局（たとえば、セル）は、第１の局と通信していない第２の局（たとえば、被干渉ＵＥ）から空間フィードバック情報（ＳＦＩ）を受信することができる。また、第２の局は第３の局（たとえば、被サービスＵＥ）からプリコーディング情報を受信することができる。第１の局は、第２の局への干渉を低減するために、プリコーディング情報とＳＦＩとに基づいてデータ送信を第３の局に送信することができる。１つの設計では、ＳＦＩは空間ヌル化情報を備えることができる。第１の局は、第２の局から離れる方向にデータ送信をステアリングするために空間ヌル化情報に基づいてデータ送信を送信することができる。
【０００８】
空間干渉緩和を用いてデータを受信する１つの設計では、第１の局（たとえば、ＵＥ）は、ＳＦＩ要求を受信して、第１の局と通信していない第２の局（たとえば、干渉セル）のためのＳＦＩを送信することができる。ＳＦＩ要求は、第１の局と通信している第３の局（たとえば、サービングセル）によって送信できる。第１の局は、ＳＦＩ要求に応答してＳＦＩを判断し、第２の局に送信することができる。第１の局はまた、プリコーディング情報を判断し、第３の局に送信することができる。その後、第１の局は、プリコーディング情報に基づいて第３の局によって送信されたデータ送信を受信することができる。第１の局はまた、第１の局への干渉を低減するためにＳＦＩに基づいて第２の局によって別の局に送信された送信を受信することができる。
【０００９】
本開示の様々な態様および特徴について以下でさらに詳細に説明する。
【図面の簡単な説明】
【００１０】
【図１】ワイヤレス通信ネットワークを示す図。
【図２】空間干渉緩和を伴ったダウンリンクデータ送信を示す図。
【図３Ａ】図２のダウンリンクデータ送信を説明する図。
【図３Ｂ】図２のダウンリンクデータ送信を説明する図。
【図３Ｃ】図２のダウンリンクデータ送信を説明する図。
【図３Ｄ】図２のダウンリンクデータ送信を説明する図。
【図４】空間干渉緩和を用いたアップリンクデータ送信を示す図。
【図５】空間干渉緩和を用いてデータを送信するためのプロセスを示す図。
【図６】空間干渉緩和を用いてデータを送信するための装置を示す図。
【図７】空間干渉緩和を用いてデータを受信するためのプロセスを示す図。
【図８】空間干渉緩和を用いてデータを受信するための装置を示す図。
【図９】基地局およびＵＥのブロック図。
【発明を実施するための形態】
【００１１】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標)）などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用できる。明快のために、本技法のいくつかの態様について以下ではＬＴＥに関して説明し、以下の説明の大部分でＬＴＥ用語を使用する。
【００１２】
図１は、ワイヤレス通信ネットワーク１００を示しており、これはＬＴＥネットワークまたは何らかの他のネットワークとすることができる。ワイヤレスネットワーク１００は、いくつかの進化型ノードＢ（ｅＮＢ）および他のネットワークエンティティを含むことができる。簡単のために、図１には、２つのｅＮＢ、ｅＮＢ１１０ａおよび１１０ｂのみを示す。ｅＮＢは、ＵＥと通信する固定局とすることができ、ノードＢ、基地局、アクセスポイントなどとも呼ばれる。各ｅＮＢ１１０は、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。
【００１３】
ｅＮＢは、マクロセル、ピコセル、フェムトセル、および／または他のタイプのセルに通信カバレージを与えることができる。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、家庭）をカバーし、フェムトセルとの関連を有するＵＥ（たとえば、家庭におけるユーザのためのＵＥ）による限定アクセスを可能にする。マクロセルのためのｅＮＢをマクロｅＮＢと呼ぶ。ピコセルのためのｅＮＢをピコｅＮＢと呼ぶ。フェムトセルのためのｅＮＢをフェムトｅＮＢまたはホームｅＮＢと呼ぶ。図１に示す例では、ｅＮＢ１１０ａは、マクロセルＸのためのマクロｅＮＢである。ｅＮＢ１１０ｂは、ピコセルＹのためのピコｅＮＢ、またはフェムトセルＹのためのフェムトｅＮＢである。ｅＮＢは、１つまたは複数の（たとえば、３つの）セルをサポートすることができる。
【００１４】
ワイヤレスネットワーク１００はまた、中継局を含むことができる。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥとすることができる。
【００１５】
ワイヤレスネットワーク１００は、１つのタイプのｅＮＢ、たとえば、マクロｅＮＢのみ、またはフェムトｅＮＢのみを含む同種ネットワークとすることができる。ワイヤレスネットワーク１００はまた、様々なタイプのｅＮＢ、たとえばマクロｅＮＢ、ピコｅＮＢ、フェムトｅＮＢ、中継器などを含む異種ネットワークとすることができる。これらの様々なタイプのｅＮＢは、様々な送信パワーレベル、様々なカバレージエリア、およびワイヤレスネットワーク１００中の干渉に対する様々な影響を有する。たとえば、マクロｅＮＢは、高い送信パワーレベル（たとえば、２０ワット）を有するが、ピコｅＮＢ、フェムトｅＮＢ、および中継器は、より低い送信パワーレベル（たとえば、１ワット）を有する。本明細書で説明する技法は同種ネットワークと異種ネットワークの両方のために使用できる。
【００１６】
ネットワークコントローラ１３０は、ｅＮＢのセットに結合し、これらのｅＮＢの調整および制御を行うことができる。ネットワークコントローラ１３０はバックホールを介してｅＮＢ１１０と通信することができる。ｅＮＢ１１０はまた、たとえば、ワイヤレスバックホールまたはワイヤラインバックホールを介して直接または間接的に互いに通信することができる。
【００１７】
ＵＥはワイヤレスネットワーク１００全体にわたって分散でき、各ＵＥは固定または移動とすることができる。簡単のために、図１には、４つのＵＥ１２０ａ、１２０ｂ、１２０ｃおよび１２０ｄのみを示し、これらはそれぞれ、ＵＥ１、２、３および４とも呼ばれる。ＵＥは、端末、移動局、加入者ユニット、局などとも呼ばれる。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などとすることができる。図１において、片矢印付きの実線は、サービングセルからＵＥへの所望のデータ送信を示し、片矢印付きの破線は、干渉セルからＵＥへの干渉送信を示す。サービングセルは、ダウンリンクおよび／またはアップリンク上でＵＥにサービスするために指定されたセルである。非サービングセルは、ダウンリンク上でＵＥに対して干渉を引き起こしている干渉セル、および／またはアップリンク上でＵＥからの干渉を観測している被干渉セルとすることができる。簡単のために、図１にはアップリンク送信を示さない。
【００１８】
ＬＴＥは、ダウンリンク上では直交周波数分割多重（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに分割する。各サブキャリアはデータで変調される。一般に、変調シンボルは、ＯＦＤＭでは周波数領域で、ＳＣ−ＦＤＭでは時間領域で送信される。サブキャリアの総数（Ｋ）はシステム帯域幅に依存することがある。たとえば、Ｋは、それぞれ１．２５、２．５、５、１０または２０メガヘルツ（ＭＨｚ）のシステム帯域幅に対して１２８、２５６、５１２、１０２４または２０４８に等しいとすることができる。システム帯域幅はまたサブバンドに分割され、各サブバンドはＬＴＥ中で１．０８ＭＨｚをカバーすることができる。
【００１９】
ＬＴＥでは、各リンクに対する送信タイムラインはサブフレームのユニットに分割される。各サブフレームは、所定の継続時間、たとえば、１ミリ秒（ｍｓ）を有し、２つのスロットを含む。各スロットは、拡張された巡回プレフィックスに対して６つのシンボル期間を含むか、または通常の巡回プレフィックスに対して７つのシンボル期間を含む。各リンクに利用可能な時間周波数リソースはリソースブロックに分割される。各リソースブロックは、特定の時間および周波数次元、たとえば、ＬＴＥ中の１つのスロット中で１２個のサブキャリアをカバーする。
【００２０】
ＵＥは、（ｉ）ＵＥがダウンリンク上で１つまたは複数の干渉セルから高い干渉を観測し、および／または（ｉｉ）サービングセルがアップリンク上で１つまたは複数の干渉ＵＥから高い干渉を観測するという支配的干渉シナリオでサービングセルと通信することができる。支配的干渉シナリオは範囲拡張のために行われ、これは、ＵＥが、ＵＥによって検出されたすべてのセルのうち、より低い経路損失とより低いジオメトリとをもつセルに接続するシナリオである。たとえば、図１では、ＵＥ２は、マクロセルＸとピコセルＹとを検出し、ピコセルＹについて、マクロセルＸよりも低い受信パワーを有する。とはいえ、ピコセルＹの経路損失がマクロセルＸの経路損失よりも低い場合、ＵＥ２はセルＹに接続することが望ましい。これにより、ＵＥ２の所与のデータレートに対してワイヤレスネットワークへの干渉が少なくなる。支配的干渉シナリオはまた、制限付き関連付けのために行われる。たとえば、図１では、ＵＥ１は、フェムトセルＹに近接しており、このセルについて高い受信パワーを有する。しかしながら、ＵＥ１は、制限付き関連付けのためにフェムトセルＹにアクセスすることができず、次いで、より低い受信パワーをもつ無制限マクロセルＸに接続する。その場合、ＵＥ１は、ダウンリンク上でフェムトセルＹから高い干渉を観測し、また、アップリンク上でセルＹに高い干渉を引き起こすことがある。
【００２１】
一態様では、ＵＥへの干渉を低減するために、ダウンリンク上でのデータ送信に対して空間干渉緩和を実行することができる。１つの設計では、ＵＥは、空間フィードバック情報（ＳＦＩ）を判断し、干渉セルに与えることができる。干渉セルは、ＵＥへの干渉を低減するためにＳＦＩに基づいてその送信を送信することができる。
【００２２】
以下のタイプの情報が利用可能である。
【００２３】
・空間フィードバック情報−  被干渉局への干渉を低減するために使用される情報
・空間ヌル化情報−  被干渉局から離れる方向に送信をステアリングするために使用される情報
・プリコーディング情報−  ターゲット局のほうへ送信をステアリングするために使用される情報
・ヌル化利得情報−  空間干渉緩和による干渉の低減を示す情報
ダウンリンク上での空間干渉緩和の場合、ＳＦＩは、（ｉ）ＵＥから離れるように干渉セルの送信をステアリングするために干渉セルによって使用される、干渉セルのための空間ヌル化情報、（ｉｉ）ＵＥのサービングセルからＵＥへの方向から離れるように干渉セルの送信をステアリングするために干渉セルによって使用される、サービングセルのためのプリコーディング情報、（ｉｉｉ）ヌル化利得情報、および／または（ｉｖ）他の情報を含むことができる。ＳＦＩのための様々なタイプの情報は、以下で説明するように判断できる。
【００２４】
１つの設計では、ＵＥは、たとえば、ダウンリンク上で干渉セルによって送信された基準信号またはパイロットに基づいて、そのセルのダウンリンクチャネル応答を推定することができる。ダウンリンクチャネル推定値は、次のように与えられるＲ×Ｔチャネル行列によって与えられる。
【数１】
0005646461.tif 000002
【００２５】
上式で、Ｈｉｕは、干渉セルｉからＵＥ  ｕへのダウンリンクチャネルのためのチャネル行列であり、
ｈｒｔ、ｒ＝１、．．．、Ｒおよびｔ＝１、．．．、Ｔは、干渉セルにおける送信アンテナｔとＵＥにおける受信アンテナｒとの間の複素利得であり、
Ｔは干渉セルにおける送信アンテナの数であり、
ＲはＵＥにおける受信アンテナの数である。
【００２６】
チャネル行列Ｈｉｕは、ＵＥにおけるＲ個の受信アンテナに対するＲ個の行を含む。Ｈｉｕの各行は、ＵＥにおける１つの受信アンテナに対する１つのチャネルベクトルｈｉｕに対応する。ＵＥが単一のアンテナを備えている場合、Ｈｉｕは、単一のチャネルベクトルに対する単一の行を含む。したがって、行列は、１つの行または１つの列しかないとき、ベクトルに縮退する。ダウンリンクチャネル推定値は、システム帯域幅の全部または一部分に対して、たとえば、ＵＥがスケジュールされるサブバンドに対して得られる。
【００２７】
第１のＳＦＩ設計では、ＳＦＩは、干渉セルのためのチャネル方向インジケータ（ＣＤＩ）を備えることができる。干渉セルのためのＣＤＩは様々な方法で判断できる。１つの設計では、ＵＥは、量子化チャネル行列のコードブックに基づいてＨｉｕを量子化することができる。ＵＥは、コードブック中の各量子化チャネル行列を次のように評価することができる。
【数２】
0005646461.tif 000003
【００２８】
上式で、Ｈｌは、コードブック中のｌ番目の量子化チャネル行列であり、
ＱＨ，ｌは、ＨｌとＨｉｕとの間の直交性を示すメトリックであり、
「Ｈ」はエルミート共役または複素共役を示す。
【００２９】
メトリックＱＨ，ｌは、コードブック中の各量子化チャネル行列に対して計算できる。最大のＱＨ，ｌを有し、Ｈｉｕをできるだけ近接して整合させる量子化チャネル行列Ｈｌは、干渉セルのためのＣＤＩとして選択され、与えられる。したがって、チャネル行列Ｈｉｕは、（Ｈｉｕに最大限に直交するのではなく）Ｈｉｕと最大限に相関するＨｌに量子化される。別の設計では、ＵＥは、量子化チャネルベクトルのコードブックに基づいてＨｉｕの各行を量子化し、Ｈｉｕの各行に対して量子化チャネルベクトルを得ることができる。ＵＥはまた、他の方法でＨｉｕを量子化することができる。量子化チャネル行列またはベクトルのコードブックのサイズは、シグナリングオーバーヘッドを低減しながら良好なヌル化パフォーマンスを得るように選択できる。干渉セルのためのＣＤＩは、量子化チャネル行列のインデックス、各量子化チャネルベクトルのインデックスおよび／または他の情報を含むことができる。ＵＥは、ＣＤＩをＳＦＩとして干渉セルに送信することができる。報告されたＨｌが干渉セルからＵＥへの方向を示すので、干渉セルは、ＵＥへの干渉を低減するためにＨｌにできるだけ直交するプリコーディング行列を選択することができる。
【００３０】
第２のＳＦＩ設計では、ＳＦＩは、干渉セルのためのプリコーディング行列インジケータ（ＰＭＩ）を備えることができる。干渉セルのためのＰＭＩは様々な方法で判断できる。１つの設計では、ＵＥは、プリコーディング行列のコードブックからＨｉｕにできるだけ直交するプリコーディング行列を選択することができる。ＵＥは、コードブック中の各プリコーディング行列を次のように評価することができる。
【数３】
0005646461.tif 000004
【００３１】
上式で、Ｐｌは、コードブック中のｌ番目のプリコーディング行列であり、
ＱＰ，ｌは、ＰｌとＨｉｕとの間の直交性を示すメトリックである。
【００３２】
ＵＥは、最小のＱＰ，ｌを有し、Ｈｉｕに最も直交するプリコーディング行列を選択することができる。ＵＥは、このプリコーディング行列のインデックスを干渉セルのためのＳＦＩとして送信することができる。選択されたプリコーディング行列は、ＵＥにおいて最大の干渉低減を生じる有効アンテナの線形結合の「最良の」セットを含むことができる。
【００３３】
別の設計では、ＵＥは、Ｈｉｕにできるだけ直交するプリコーディング行列Ｐｉｕを計算することができる。ＵＥは、次のように固有値分解を実行することができる。
【数４】
0005646461.tif 000005
【００３４】
ユニタリ行列Ｅは、性質ＥＨＥ＝Ｉによって特徴づけられ、Ｉは単位行列である。Ｅの列は互いに直交し、各列は単位パワーを有する。干渉セルからＵＥへのダウンリンクチャネルはＳ個の固有モードを有し、Ｓ≦ｍｉｎ｛Ｒ，Ｔ｝である。ＥのＴ個の列は、Ｔ個の固有ベクトルと呼ばれ、Ｈｉｕの固有モードでデータを送信するために使用できる。Λの対角要素は、Ｈｉｕの固有モードのパワー利得を表す固有値である。ΛのＴ個の対角要素は、ＥのＴ個の固有ベクトルに関連する。Ｒ＜Ｔの場合、Λは、最高Ｒ個の０でない対角要素と、残りの対角要素に対する０とを含むことができる。Λ中の０対角要素に対応するＥ中の固有ベクトルは、Ｈｉｕに直交し、プリコーディング行列Ｐｉｕ中に含めることができる。ＵＥは、干渉セルのためのＳＦＩを得るために、（たとえば、上述のようにＨｉｕのための）Ｐｉｕを量子化することができる。ＵＥはＳＦＩを干渉セルに送信し、次いで、干渉セルは、ＵＥへの干渉を低減するために、量子化されたＰｉｕをできる限り整合させるプリコーディング行列を選択することができる。
【００３５】
さらに別の設計では、ＵＥは、複数の受信アンテナを備えており、その受信ヌル化機能を考慮に入れることによって干渉セルのためのプリコーディング行列を判断することができる。ＵＥは、サービングセルのためのチャネル行列に基づいて空間フィルタ行列を導出することができる。次いで、ＵＥは、その空間フィルタ行列を用いて、サービングセルからの送信に対して受信機空間処理を実行することができる。ＵＥは、空間フィルタ行列がＵＥによって使用されると仮定して、コードブック中の各プリコーディング行列を評価することができる。ＵＥは、空間フィルタ行列を用いて最良の受信機パフォーマンスを与えることができるプリコーディング行列を選択することができる。ＵＥは、選択されたプリコーディング行列を干渉セルのためのＳＦＩとして与えることができる。
【００３６】
第３のＳＦＩ設計では、干渉セルのためのＳＦＩは、サービングセルのためのＣＤＩまたはＰＭＩを備えることができる。ＵＥは、サービングセルのためのダウンリンクチャネルを推定し、サービングセルのためのダウンリンクチャネル行列Ｈｓｕに基づいてＣＤＩまたはＰＭＩを判断することができる。ＣＤＩは、量子化チャネル行列のインデックス、各量子化チャネルベクトルのインデックスなどを含むことができる。ＰＭＩは、ＵＥのためのサービングセルによって使用されるプリコーディング行列またはベクトルのためのインデックスなどを含むことができる。ＵＥは、サービングセルのためのＣＤＩまたはＰＭＩを干渉セルのためのＳＦＩとして送信することができる。サービングセルのためのＣＤＩ／ＰＭＩはサービングセルからＵＥへの方向を示すので、干渉セルは、ＵＥへの干渉を低減するために、サービングセルのためのＣＤＩ／ＰＭＩにできるだけ直交するプリコーディング行列を選択することができる。たとえば、干渉セルは、サービングセルによって選択されたビームによって受ける影響が最小限となるＵＥをスケジュールすることができる。
【００３７】
別の設計では、干渉セルのためのＳＦＩは、ＵＥにおけるある受信機空間処理を仮定する、直交ベクトルのセットを備えることができる。たとえば、ＳＦＩは、式（４）に示すように得られるチャネル行列Ｈｉｕの１つまたは複数の主要な固有ベクトルに直交する１つまたは複数のベクトルを備えることができる。別の例として、サービングセルからのデータ送信のためにＵＥに対してある受信機空間処理を仮定する。その場合、ＳＦＩは、干渉セルにおける送信アンテナとＵＥにおける受信機空間処理の出力との間の有効チャネルに直交する１つまたは複数のベクトルを備えることができる。
【００３８】
一般に、干渉セルのための空間ヌル化情報は、干渉セルのためのＣＤＩまたはＰＭＩ、サービングセルのためのＣＤＩまたはＰＭＩ、および／あるいは何らかの他の情報を備えることができる。干渉セルは、空間ヌル化情報を使用して、その送信をＵＥの方向から離れるようステアリングすることができるプリコーディング行列を判断することができる。
【００３９】
１つの設計では、ＳＦＩは、ＵＥによって供給された空間ヌル化情報を適用する干渉セルから生じる送信ヌル化利得（ＴＮＧ）を備えることができる。ＵＥは、（ｉ）干渉セルが空間ヌル化情報を適用する場合の干渉セルからの干渉パワーＩＳＦＩ、および（ｉｉ）干渉セルが空間ヌル化情報を適用しない（または、開ループを動作しない）場合の干渉セルからの干渉パワーＩＯＬを推定することができる。ＵＥは、送信ヌル化利得をＩＯＬに対するＩＳＦＩの比として判断することができる。したがって、空間ヌル化情報が開ループ送信ではなく干渉セルによって使用された場合、送信ヌル化利得は干渉セルからの干渉パワーの低減の量を示すことができる。干渉セルは、ＵＥのためのターゲット干渉レベルを得るために使用すべき送信パワーレベルを判断することができる。空間ヌル化情報が干渉セルによって適用されたとき、干渉セルは送信ヌル化利得によってこの送信パワーレベルを増加させることが可能である。
【００４０】
別の設計では、ＳＦＩは、サービングセルに対して受信機空間処理を実行するＵＥから生じる、干渉セルのための受信ヌル化利得（ＲＮＧ）を備えることができる。干渉セルが単一の送信アンテナを備え、空間ヌル化のためのステアリングを実行することができない場合、この設計は特に適用可能である。受信ヌル化利得は、受信機空間処理を実行するＵＥによる干渉パワーの低減の量を示し、以下で説明するように判断される。次いで、干渉セルは、たとえば、ＵＥのためのターゲット干渉レベルを達成するために、受信ヌル化利得に基づいてその送信パワーレベルを判断する。受信ヌル化利得はまた、ＵＥのためのターゲット干渉レベルに因数分解される。干渉セルは、受信ヌル化利得の値を知る必要はないが、むしろ、ＵＥのための得られたターゲット干渉レベルを知る必要がある。
【００４１】
ＵＥは、空間干渉緩和をサポートするために干渉セルのためのＳＦＩを送信することができる。ＳＦＩは、干渉セルのためのＣＤＩまたはＰＭＩ、サービングセルのためのＣＤＩまたはＰＭＩ、送信ヌル化利得、受信ヌル化利得、および／あるいは他の情報を備えることができる。１つの設計では、ＵＥは、ＳＦＩを干渉セルに直接送信することができる。別の設計では、ＵＥはＳＦＩをサービングセルに送信することができ、サービングセルは、たとえば、バックホールを通して交換されたレイヤ３（Ｌ３）シグナリングを介して、ＳＦＩを干渉セルにフォワーディングすることができる。ＵＥは十分に速いレートでＳＦＩを送信することができ、レートはＵＥのモビリティおよび場合によっては他のファクタに依存することがある。たとえば、ＵＥは、ＵＥの低いモビリティ条件下で干渉マクロセルによる送信ヌル化を使用可能にするように、ＳＦＩをより速いレートでこのセルに送信することができる。ＵＥは、ＵＥの静的または準静的条件下で、ＳＦＩをより遅いレートで干渉ピコまたはフェムトセルに送信することができる。ＵＥはまた、以下で説明するように、要求されたときはいつでもＳＦＩを送信することができる。一般に、ＳＦＩは、良好な送信ヌル化を得るために、比較的最近のチャネル推定値に対応しなければならない。
【００４２】
別の態様では、セルへの干渉を低減するために、アップリンク上でのデータ送信に対して空間干渉緩和を実行することができる。アップリンクに対する空間干渉緩和は、ＵＥが１つまたは複数の送信アンテナを備えているかどうかに応じて様々な方法で実行される。
【００４３】
１つの設計では、複数の送信アンテナを備えた干渉ＵＥは、セルへの干渉を低減するために、その送信を空間的にステアリングすることができる。セルは、干渉ＵＥからセルへのアップリンクチャネルを推定し、たとえば、ダウンリンクに対して上記の設計のいずれかを使用して推定されたアップリンクチャネルに基づいて空間ヌル化情報を判断することができる。セルはまた、たとえば、上述のように、ダウンリンクに対して送信ヌル化利得を判断することができる。干渉ＵＥのためのＳＦＩは、空間ヌル化情報、送信ヌル化利得などを備えることができる。セルは、ＳＦＩを干渉ＵＥに送信することができる。干渉ＵＥは、ＳＦＩを使用して、空間的にセルから離れる方向にその送信をステアリングし、および／またはその送信パワーを低減することができる。
【００４４】
別の設計では、セルは、単一の送信アンテナを備えている干渉ＵＥに対して受信干渉ヌル化を実行することができる。セルは、干渉ＵＥを考慮に入れることによってサービスすべきＵＥを選択することができる。
【００４５】
セルは、次式で表すことができる受信シンボルを得ることができる。
【数５】
0005646461.tif 000006
【００４６】
上式で、ｓｕは、被サービスＵＥ  ｕによって送信されたデータシンボルであり、
ｓｊは、干渉ＵＥ  ｊによって送信されたデータシンボルであり、
ｈｕｓは、被サービスＵＥ  ｕからセルｓへのアップリンクチャネルに対するチャネルベクトルであり、
ｈｊｓは、干渉ＵＥ  ｊからセルｓへのアップリンクチャネルに対するチャネルベクトルであり、
ｒｓは、セルｓにおける受信シンボルのベクトルであり、
ｎｔｓは、セルｓにおける全雑音と干渉とのベクトルであり、
ｎｓは、セルｓにおける、ＵＥ  ｊからを除く全雑音と干渉とのベクトルである。
【００４７】
セルは、被サービスＵＥからのデータシンボルを復元し、干渉ＵＥからのデータシンボルを抑圧／ヌル化するために、受信機空間処理を実行することができる。セルは、（ｉ）被サービスＵＥに対するｈｕｓをできるだけ近接して整合させ、および（ｉｉ）干渉ＵＥに対するｈｊｓにできるだけ直交する空間フィルタベクトルｍを選択することができる。１つの設計では、空間フィルタベクトルｍを最小平均２乗誤差（ＭＭＳＥ）受信フィルタに基づいて判断し、
【数６】
0005646461.tif 000007
【００４８】
として計算することができ、ａはスケーリングファクタであり、Ｒｎｎは全雑音と干渉との共分散行列である。別の設計では、セルは、空間フィルタベクトルのコードブック中の各エントリを評価し、最良の信号対雑音および干渉比（ＳＩＮＲ）を用いて空間フィルタベクトルを選択することができる。セルはまた、他の方法で空間フィルタベクトルを判断することができる。
【００４９】
セルは、受信機空間処理を、次のように実行することができる。
【数７】
0005646461.tif 000008
【００５０】
上式で、
【数８】
0005646461.tif 000009
【００５１】
は、被サービスＵＥ  ｕの検出されたシンボルであり、
ｎｓは、セルｓにおける受信機空間処理後の雑音および干渉である。
【００５２】
式（６）に示す処理は、各シンボル期間中に各サブキャリアに対して実行できる。
【００５３】
セルは、被サービスＵＥに対して受信機空間処理を実行するセルから生じる干渉ＵＥに対して受信ヌル化利得を判断することができる。セルは、（ｉ）セルが受信機空間処理を実行している場合の干渉ＵＥからの干渉パワーＩＲＸＰ、および（ｉｉ）セルによる受信機空間処理がない場合の干渉ＵＥからの干渉パワーＩｎｏ＿ＲＸＰを推定することができる。セルは、受信ヌル化利得をＩｎｏ＿ＲＸＰに対するＩＲＸＰの比として判断することができる。したがって、受信ヌル化利得は、受信機空間処理を実行するセルによる干渉パワーの低減の量を示すことができる。セルは、受信ヌル化利得を干渉ＵＥに与えることができる。セルまたは干渉ＵＥは、セルのためのターゲット干渉レベルを得るために、受信ヌル化利得を考慮に入れることによってＵＥのためのターゲット送信パワーレベルを計算することができる。干渉ＵＥは、受信ヌル化利得によってその送信パワーを増加させることが可能である。
【００５４】
セルは、被サービスＵＥと干渉ＵＥとの特定のペアに対して受信ヌル化利得を判断することができる。ＵＥペアリングが望ましくない場合、セルは、サービスされる可能性がある様々なＵＥとそれらのチャネル状態とに基づいて、予想される（たとえば、平均）受信ヌル化利得または最悪受信ヌル化利得を計算することができる。受信ヌル化利得の使用は、各フェムトセルが１つまたは少数のＵＥにしかサービスせず、１つまたは少数の干渉ＵＥしか有しないフェムト展開において特に適用可能である。したがって、被サービスＵＥと干渉ＵＥとの限られた数のペアがフェムト展開において存在する。
【００５５】
セルは、干渉ＵＥのためのＳＦＩを送信することができる。ＳＦＩは、（ｉ）ＵＥが複数のアンテナを備えている場合の空間ヌル化情報および／または送信ヌル化利得、（ｉｉ）ＵＥが単一のアンテナを備えている場合の受信ヌル化利得、ならびに／あるいは（ｉｉｉ）他の情報を備えることができる。１つの設計では、セルは、ＳＦＩを干渉ＵＥに直接送信することができる。別の設計では、セルは、たとえば、バックホールを通して交換されたＬ３シグナリングを介して、ＳＦＩを干渉ＵＥのサービングセルに送信する。次いで、サービングセルはＳＦＩを干渉ＵＥに送信する。セルは、ＳＦＩを適切なレートで送信することができる。良好な空間ヌル化を得るために、ＳＦＩに対する量子化を選択することができる。同じまたは異なる量子化レベルは、無線で送信されたＳＦＩとバックホールを介してフォワーディングされたＳＦＩとのために使用できる。
【００５６】
ダウンリンクおよびアップリンクに対する空間干渉緩和は、様々な方法で実行できる。１つの設計では、所与のリンクに対する空間干渉緩和は、（常時実行されるのではなく）保証されたときにトリガされる。たとえば、支配的な干渉物が検出されたとき、空間干渉緩和はトリガされる。１つの設計では、ＳＦＩは、空間干渉緩和をサポートするために適切なレートで送信される。別の設計では、ＳＦＩは、イベントによってトリガされたときに送信され、それによりシグナリングオーバーヘッドを低減することができる。たとえば、空間ヌル化情報、送信ヌル化利得、および／または受信ヌル化利得に顕著な変化があった場合、たとえば、空間ヌル化情報またはヌル化利得の変化があるしきい値を超えたとき、ＳＦＩを送信することができる。
【００５７】
本明細書で説明する空間干渉緩和技法は、周波数分割二重（ＦＤＤ）ネットワークならびに時分割二重（ＴＤＤ）ネットワークのために使用できる。ＦＤＤの場合、ダウンリンクおよびアップリンクは別々の周波数チャネルを割り振られ、ダウンリンクのチャネル応答は、アップリンクのチャネル応答とそれほど相関しない。ＦＤＤネットワークの場合、ＵＥは、干渉セルのダウンリンクチャネル応答を推定し、ダウンリンクチャネル応答に基づいてＳＦＩを判断し、上述のように、ＳＦＩを干渉セルに送信することができる。セルはまた、干渉ＵＥのアップリンクチャネル応答を推定し、アップリンクチャネル応答に基づいてＳＦＩを判断し、また上述の様にＳＦＩを干渉ＵＥに送信することができる。ＴＤＤの場合、ダウンリンクおよびアップリンクは同じ周波数チャネルを共有し、ダウンリンクのチャネル応答はアップリンクのチャネル応答と相関することができる。ＴＤＤネットワークの場合、干渉セルは、ＵＥからの基準信号に基づいてＵＥのアップリンクチャネル応答を推定し、アップリンクチャネル応答に基づいてダウンリンクチャネル応答を推定し、ダウンリンクチャネル応答を使用してＵＥから離れる方向にその送信をステアリングすることができる。干渉ＵＥはまた、セルからの基準信号に基づいてセルのダウンリンクチャネル応答を推定し、ダウンリンクチャネル応答に基づいてアップリンクチャネル応答を推定し、アップリンクチャネル応答を使用してセルから離れる方向にその送信をステアリングすることができる。したがって、干渉局は、被干渉局からＳＦＩを受信する必要なしに、そのチャネル推定値に基づいてＳＦＩを得ることが可能である。
【００５８】
空間干渉緩和は、様々なシグナリングメッセージおよびタイムラインを使用して所与のリンクに対してサポートされる。ダウンリンクおよびアップリンクに対する空間干渉緩和のためのいくつかの例示的なタイムラインおよびメッセージについて以下に説明する。
【００５９】
図２に、空間干渉緩和を用いたダウンリンクデータ送信方式２００の設計を示す。簡単のために、図２には、図１の２つのセルＸおよびＹ、ならびに２つのＵＥ１および２のみを示す。セルＸは、ＵＥ１のサービングセルであり、ＵＥ２に対する干渉セルである。セルＹは、ＵＥ２のサービングセルであり、ＵＥ１に対する干渉セルである。
【００６０】
セルＸは、ＵＥ１に送信すべきデータを有し、ＵＥ１がダウンリンク上で高い干渉を観測しているという知識を有する。たとえば、セルＸはＵＥ１からパイロット測定報告を受信し、その報告は強い干渉セルＹを示し、および／または識別することができる。セルＸは、（ｉ）ＳＦＩを判断し干渉セルＹに送信すること、および／または（ｉｉ）フィードバックを判断しサービングセルＸに送信することをＵＥ１に依頼するために、ＳＦＩ要求をＵＥ１に送信する。ＳＦＩ要求は、以下で説明するように様々なタイプの情報を含む。同様に、セルＹは、ＵＥ２に送信すべきデータを有し、ＵＥ２がダウンリンク上で高い干渉を観測しているという知識を有する。次いで、セルＹは、ＳＦＩを判断し干渉セルＸに送信するようにＵＥ２に依頼するために、ＳＦＩ要求をＵＥ２に送信する。
【００６１】
ＵＥ１は、そのサービングセルＸからＳＦＩ要求を受信する。ＳＦＩ要求に応答して、ＵＥ１は、たとえば、上述のように干渉セルＹのダウンリンクチャネル応答を推定し、ダウンリンクチャネル応答に基づいてセルＹのためのＳＦＩを判断する。次いで、ＵＥ１はＳＦＩを干渉セルＹに送信する。ＵＥ１はまた、そのサービングセルＸのダウンリンクチャネル応答を推定し、セルＸのためのプリコーディング情報（たとえば、ＣＤＩまたはＰＭＩ）を判断し、プリコーディング情報をセルＸに送信する。同様に、ＵＥ２は、そのサービングセルＹからＳＦＩ要求を受信し、干渉セルＸのダウンリンクチャネル応答を推定し、ダウンリンクチャネル応答に基づいてセルＸのためのＳＦＩを判断し、ＳＦＩをセルＸに送信する。ＵＥ２はまた、そのサービングセルＹのダウンリンクチャネル応答を推定し、セルＹのためのプリコーディング情報を判断し、プリコーディング情報をセルＹに送信する。
【００６２】
セルＸは、ＵＥ１からプリコーディング情報を受信し、被干渉ＵＥ２からＳＦＩを受信する。セルＸは、ＵＥ１からのプリコーディング情報とＵＥ２からのＳＦＩとに基づいて、データ送信に使用するプリコーディング行列ＰＸを判断する。セルＸはまた、ＵＥ２からの送信ヌル化利得、ＵＥ２のためのターゲット干渉レベル、および／または他の情報に基づいて、データ送信に使用する送信パワーレベルＰｄａｔａ，Ｘを判断する。次いで、セルＸは、プリコーディング行列ＰＸを用いて、Ｐｄａｔａ，ＸまたはＰｄａｔａ，Ｘのスケーリングされたバージョンに等しい送信パワーレベルＰＲＱＩ−ＲＳ，Ｘにおいてリソース品質インジケータ（ＲＱＩ）基準信号を送信する。基準信号またはパイロットは、送信機および受信機によってアプリオリ(a priori)に知られる送信である。ＲＱＩ基準信号はパワー決定パイロットとも呼ばれる。ＲＱＩ基準信号は、プリコーディング行列を用いて送信されたステアリングされた基準信号であり、および／または可変送信パワーレベルを有する。セルＸはまた、ＲＱＩ要求を、ＵＥ１、および／またはセルＸによってサービスされる他のＵＥに送信する。ＲＱＩ要求は、ＲＱＩ基準信号に基づいてセルＸのチャネル品質を推定することと、ＲＱＩをセルＸに送信することとをＵＥ１に依頼する。同様に、セルＹは、ＵＥ２からのプリコーディング情報とＵＥ１からのＳＦＩとに基づいて、データ送信に使用するプリコーディング行列ＰＹを判断する。セルＹはまた、ＵＥ１からの送信ヌル化利得、ＵＥ１のためのターゲット干渉レベル、および／または他の情報に基づいて、データ送信に使用する送信パワーレベルＰｄａｔａ，Ｙを判断する。次いで、セルＹは、プリコーディング行列ＰＹを用いて、Ｐｄａｔａ，ＹまたはＰｄａｔａ，Ｙのスケーリングされたバージョンに等しい送信パワーレベルＰＲＱＩ−ＲＳ，ＹにおいてＲＱＩ基準信号を送信する。セルＹはまた、ＲＱＩ要求を、ＵＥ２、および／またはセルＹによってサービスされる他のＵＥに送信する。
【００６３】
ＵＥ１は、セルＸおよびＹからＲＱＩ基準信号を受信し、ならびにそのサービングセルＸからＲＱＩ要求を受信する。ＲＱＩ要求に応答して、ＵＥ１は、すべてのセルからのＲＱＩ基準信号に基づいてサービングセルＸのチャネル品質を推定する。ＲＱＩ基準信号により、ＵＥ１は、セルが使用することを予想するプリコーディング行列と送信パワーレベルとを考慮に入れることによって、サービングセルＸからのデータ送信についてＵＥ１が予想するチャネル品質をより正確に推定することが可能になる。ＵＥ１は、チャネル品質のＳＩＮＲ推定値、そのＳＩＮＲ推定値に基づいて判断される変調および符号化方式（ＭＣＳ）などを備えるＲＱＩを判断する。ＵＥ１はＲＱＩをそのサービングセルＸに送信する。同様にＵＥ２は、セルＸおよびＹからＲＱＩ基準信号を受信し、ならびにそのサービングセルＹからＲＱＩ要求を受信する。ＵＥ２は、サービングセルＹのチャネル品質を推定し、ＲＱＩを判断し、ＲＱＩをセルＹに送信する。
【００６４】
セルＸは、ＵＥ１からＲＱＩを受信し、データ送信のためにＵＥ１をスケジュールし、ＲＱＩに基づいてＭＣＳを選択し、選択されたＭＣＳに従ってＵＥ１のデータを処理する。セルＸは、リソース割当て、スケジューリング許可などとも呼ばれるダウンリンク（ＤＬ）許可を発生する。ダウンリンク許可は、割当てリソース、選択されたＭＣＳなどを示す。セルＸは、ダウンリンク許可およびデータ送信をＵＥ１に送信する。ＵＥ１は、ダウンリンク許可およびデータ送信を受信し、選択されたＭＣＳに従って受信した送信を復号する。ＵＥ１は、データが正しく復号されたか、または間違って復号されたかを示す肯定応答（ＡＣＫ）情報を発生する。ＵＥ１はＡＣＫ情報をそのサービングセルＸに送信する。同様に、セルＹはデータ送信をＵＥ２に送信する。
【００６５】
図３Ａ〜図３Ｄに、図２のダウンリンクデータ送信方式のメッセージの送信について示す。各セルは、最初に、時間周波数リソースのセット（たとえば、１つまたは複数のリソースブロック）上で可能なデータ送信のために１つまたは複数のＵＥを選択する。最初のＵＥ選択は、異なるセルにおけるＵＥの優先度、ＵＥのためのチャネル情報、セルのダウンリンクバッファステータス、サービス品質（ＱｏＳ）要件、ネットワーク最適化基準（たとえば、スループット、フェアネス）などの様々なファクタに基づく。ＵＥのためのチャネル情報は長期であり、バックホール、たとえばＬＴＥにおけるＸ２インターフェースを介してセル間で交換される。選択されたＵＥは、暫定的にスケジュールされたＵＥと考えられる。図３Ａに示すように、各セルは、ＳＦＩ要求を各選択されたＵＥに送信する。各選択されたＵＥは、プリコーディング情報（たとえば、ＣＤＩ）を判断し、そのサービングセルに送信し、また、図３Ｂに示すように、ＳＦＩを判断し、そのＵＥのためのＳＦＩ要求中に示される各干渉セルに送信する。
【００６６】
各セルは、各選択されたＵＥからプリコーディング情報を受信し、ならびに各被干渉ＵＥからＳＦＩを受信する。各セルは、たとえば、ユーティリティレベル、優先度などに基づいて、被干渉ＵＥからのＳＦＩを遵守するか、または却下することができる。各セルは、最初のＵＥ選択について上述したファクタなどの様々なファクタに基づいて、時間周波数リソースのセット上でデータ送信のために１つまたは複数のＵＥをスケジュールする。各セルについて、スケジュールされた（１つまたは複数の）ＵＥは、最初に選択された（１つまたは複数の）ＵＥと同じか、または、それとは異なることがある。所与のセルは、たとえば、そのセルと別のセルとの間のスケジューリング競合により、選択されたＵＥのための適切なプリコーディング行列を適用することができず、その場合、別のＵＥをスケジュールすることがある。たとえば、セルＹは、ＵＥ２を最初に選択し、セルＸとのスケジューリング競合により、ＵＥ２のための適切なプリコーディング行列を使用することができず、その場合、セルＸからの干渉による影響をそれほど受けないＵＥ４をスケジュールすることができる。このフレキシビリティにより、セルは、セルが利用可能な空間ビームから恩恵を被るＵＥをスケジュールすることが可能になる。
【００６７】
各セルは、スケジュールされた（１つまたは複数の）ＵＥに使用するプリコーディング行列を判断し、また、データ送信に使用する送信パワーレベルを判断する。次いで、各セルは、図３Ｃに示すように、ＲＱＩ基準信号ならびにＲＱＩ要求を各スケジュールされたＵＥに送信する。所与のセルは、ＲＱＩ要求およびＳＦＩ要求を異なるＵＥに送信することができる。たとえば、セルＹは、ＳＦＩ要求をＵＥ２に送信し、後でＲＱＩ要求をＵＥ４に送信する。セルはまた、セルがこれらのＵＥからのＲＱＩに基づいて機会主義的なスケジューリング決定を行うことができるように、時間周波数リソースの同じセットを求めてＲＱＩ要求を複数のＵＥに送信することができる。各スケジュールされたＵＥは、図３Ｄに示すように、ＲＱＩを判断し、そのサービングセルに送信する。
【００６８】
図２〜図３Ｄに示す設計では、サービングセルは、ＳＦＩを干渉セルに送信するようにＵＥに依頼するために、ＳＦＩ要求をＵＥに送信することができる。別の設計では、干渉セルは、ＳＦＩをそのセルに送信するようにＵＥに依頼するために、ＳＦＩ要求をＵＥに送信することができる。ＳＦＩ要求はまた、他のエンティティによって送信されることがある。たとえば、ＵＥは、ＳＦＩを強い干渉セルに送信することを自律的に決定することができる。
【００６９】
図４に、空間干渉緩和を用いたアップリンクデータ送信方式４００の設計を示す。簡単のために、図４には、図１の２つのセルＸおよびＹ、ならびに２つのＵＥ１および２のみを示す。セルＸは、ＵＥ１のサービングセルであり、アップリンク上でＵＥ２によって干渉される。セルＹは、ＵＥ２のサービングセルであり、アップリンク上でＵＥ１によって干渉される。
【００７０】
ＵＥ１は、そのサービングセルＸに送信すべきデータを有し、リソース要求を送信する。リソース要求は、要求の優先度、ＵＥ１によって送信すべきデータの量などを示す。図４に示さない１つの設計では、ＵＥ１は、ＳＦＩ要求を被干渉セルＹに送信しない。この設計では、被干渉セルＹは、ＵＥ１による空間干渉緩和が所望されると判断した場合、ＳＦＩをＵＥに送信する。図４に示す別の設計では、ＵＥ１は、ＳＦＩを判断することと、ＵＥ１に送信することとをセルＹに依頼するために、ＳＦＩ要求を被干渉セルＹに送信する。ＵＥ１はまた、各セルがＵＥ１のための空間ヌル化情報またはプリコーディング情報を判断できるように、基準信号をリソース要求とともに送信する。
【００７１】
サービングセルＸは、ＵＥ１からリソース要求を受信し、場合によってはＵＥ２からＳＦＩ要求を受信する。セルＸは、ＲＱＩ基準信号を送信するようにＵＥ１に依頼するために、基準信号要求をＵＥ１に送信する。セルＸはまた、ＵＥ１のためのプリコーディング情報（たとえば、ＣＤＩまたはＰＭＩ）を判断し、プリコーディング情報をＵＥ１に送信する（図４には示さない）。セルＹは、ＵＥ１からＳＦＩ要求を受信し、ＵＥ１からのアップリンク送信に基づいてＳＦＩを判断し、ＳＦＩをＵＥ１に送信する。ＵＥ１が単一の送信アンテナを備えている場合、ＳＦＩはＵＥ１のための受信ヌル化利得および／または他の情報を備える。ＵＥ１が複数の送信アンテナを備えている場合、ＳＦＩは、ＵＥ１がセルＹから離れる方向にその送信をステアリングできるように、空間ヌル化情報（たとえば、セルＹのためのＣＤＩまたはＰＭＩ）を備える。
【００７２】
ＵＥ１は、そのサービングセルＸから基準信号要求を受信し、被干渉セルＹからＳＦＩを受信し、および場合によってはサービングセルＸからプリコーディング情報を受信する。ＵＥ１が単一の送信アンテナを備えている場合、ＵＥ１は、セルＹからの受信ヌル化利得、セルＹのためのターゲット干渉レベル、および／または他の情報に基づいてデータ送信に使用する送信パワーレベルＰｄａｔａ，１を判断する。ＵＥ１が複数の送信アンテナを備えている場合、ＵＥ１は、セルＸからのプリコーディング情報とセルＹからの空間ヌル化情報とに基づいて、データ送信に使用するプリコーディング行列Ｐ１を判断する。次いで、ＵＥ１は、送信パワーレベルＰＲＱＩ−ＲＳ，１において、場合によってはプリコーディング行列Ｐ１を用いてＲＱＩ基準信号を送信する。ＰＲＱＩ−ＲＳ，１は、Ｐｄａｔａ，１、またはＰｄａｔａ，１のスケーリングされたバージョンに等しい。
【００７３】
サービングセルＸは、ＵＥ１とＵＥ２とからＲＱＩ基準信号を受信する。セルＸは、ＲＱＩ基準信号に基づいてＵＥ１のチャネル品質を判断し、チャネル品質に基づいてＵＥ１のためのＭＣＳを選択する。セルＸはアップリンク許可を発生し、アップリンク許可は選択されたＭＣＳ、割当てリソース、割当てリソースに使用する送信パワーレベル、および／または他の情報を含む。セルＸは、アップリンク許可をＵＥ１に送信する。ＵＥ１は、アップリンク許可を受信し、選択されたＭＣＳに従ってデータを処理し、割当てリソース上でデータ送信を送信する。セルＸは、ＵＥ１からデータ送信を受信し、受信した送信を復号し、復号結果に基づいてＡＣＫ情報を判断し、ＡＣＫ情報をＵＥ１に送信する。
【００７４】
図２に示す設計では、ＳＦＩ要求はダウンリンクサブフレームｔ１中で送信され、ＳＦＩはアップリンクサブフレームｔ２中で送信され、ＲＱＩ要求およびＲＱＩ基準信号はダウンリンクサブフレームｔ３中で送信され、ＲＱＩはアップリンクサブフレームｔ４中で送信され、ダウンリンク許可およびデータはダウンリンクサブフレームｔ５中で送信され、ＡＣＫ情報はアップリンクサブフレームｔ６中で送信される。サブフレームｔ１、ｔ２、ｔ３、ｔ４、ｔ５およびｔ６は、同じまたは異なる数のサブフレームだけ、たとえば、送信のために使用される連続するサブフレーム間の２〜４つのサブフレームだけ分離される。１つの設計では、ダウンリンクサブフレームｔ１、ｔ３およびｔ５は１つのダウンリンクインターレースに属し、そのダウンリンクインターレースは、Ｌ個のサブフレームだけ離れて離間したダウンリンクサブフレームを含み、Ｌは任意の適切な値である。アップリンクサブフレームｔ２、ｔ４およびｔ６は１つのアップリンクインターレースに属し、そのアップリンクインターレースは、Ｌ個のサブフレームだけ離れて離間したアップリンクサブフレームを含む。
【００７５】
図４に示す設計では、リソース要求およびＳＦＩ要求はアップリンクサブフレームｔ１中で送信され、ＳＦＩおよび基準信号要求はダウンリンクサブフレームｔ２中で送信され、ＲＱＩ基準信号はアップリンクサブフレームｔ３中で送信され、アップリンク許可はダウンリンクサブフレームｔ４中で送信され、データはアップリンクサブフレームｔ５中で送信され、ＡＣＫ情報はダウンリンクサブフレームｔ６中で送信される。サブフレームｔ１、ｔ２、ｔ３、ｔ４、ｔ５およびｔ６は、同じまたは異なる数のサブフレームだけ分離される。１つの設計では、アップリンクサブフレームｔ１、ｔ３およびｔ５は、１つのアップリンクインターレースに属し、ダウンリンクサブフレームｔ２、ｔ４およびｔ６は、１つのダウンリンクインターレースに属する。
【００７６】
１つの設計では、メッセージおよびデータ送信のためのリソースは明示的に搬送される。たとえば、図２では、ＳＦＩ要求は、特定のデータリソースのためのＳＦＩを要求し、ＲＱＩ要求は、特定のデータリソースのためのＲＱＩを要求するなどである。別の設計では、メッセージを送信するために使用されるリソース、基準信号を送信するために使用されるリソース、およびデータ送信を送信するために使用されるリソースは、暗黙的に搬送される。たとえば、図２では、ＳＦＩ要求はダウンリンクリソースＲＳＦＩ−ＲＥＱ上で送信され、ＲＳＦＩ−ＲＥＱにリンクされるダウンリンクデータリソースＲＤＡＴＡのためのＳＦＩを要求する。同じデータリソースＲＤＡＴＡに対応するすべてのセルのＲＱＩ基準信号は重複するので、ＵＥが、これらのＵＥによって観測される、すべてのセルからの全干渉を測定することができる。ＳＦＩはアップリンクリソースＲＳＦＩ上で送信され、アップリンクリソースＲＳＦＩは、ＳＦＩ要求を送信するために使用されるダウンリンクリソースＲＳＦＩ−ＲＥＱにリンクされるか、またはＳＦＩ要求中に明示的に示される。ＲＱＩ要求はダウンリンクリソースＲＲＱＩ−ＲＥＱ上で送信され、ダウンリンクリソースＲＲＱＩ−ＲＳのためのＲＱＩを要求し、ダウンリンクリソースＲＲＱＩ−ＲＳはＲＲＱＩ−ＲＥＱにリンクされる。ＲＱＩは、ダウンリンクリソースＲＲＱＩ−ＲＳ上で送信されたＲＱＩ基準信号に基づいて判断され、アップリンクリソースＲＲＱＩ上で送信され、アップリンクリソースＲＲＱＩはダウンリンクリソースＲＲＱＩ−ＲＥＱにリンクされるか、またはＲＱＩ要求中に明示的に示される。ＲＱＩ基準信号は、ダウンリンクリソースＲＲＱＩ−ＲＳ上で送信され、ダウンリンクデータリソースＲＤＡＴＡ上で使用されるプリコーディング行列と送信パワーレベルとを搬送することができる。
【００７７】
空間干渉緩和のためのメッセージおよび送信は様々なタイプの情報を備えることができる。たとえば、ダウンリンク上での空間干渉緩和のためのメッセージおよび送信は、以下で説明する情報を含むことができる。
【００７８】
１つの設計では、ＵＥに送信されたＳＦＩ要求は以下のうちの１つまたは複数を含むことができる。
【００７９】
・ＵＥがＳＦＩを送信すべき各干渉セル、
・ＳＦＩを判断するための時間周波数リソース、
・ＳＦＩを送信するために使用するアップリンクリソース、
・ＳＦＩ要求の優先度、
・ターゲット干渉レベル、および／または
・他の情報。
【００８０】
干渉セルは、ＵＥによってサービングセルに送信されるパイロット測定報告に基づいて識別できる。１つの設計では、各干渉セルは、シグナリングオーバーヘッドを低減するために、たとえば、干渉セルごとに２〜３ビットの短いセル識別子（ＩＤ）によって識別できる。別の設計では、ＵＥが報告すべき干渉セルのセットに対してビットマップを使用することができ、各干渉セルをビットマップ中のビットに関連付けることができる。シグナリングオーバーヘッドを低減するために、干渉セルの数を（たとえば、６つのセルに）制限することができる。干渉セルを、受信パワーがサービングセルの受信パワーの所定の値以内（たとえば、１０ｄＢ以内）にあるセルに制限することもできる。ＵＥは、ＳＦＩを、ＳＦＩ要求中に示される各干渉セルに送信することができる。
【００８１】
ＳＦＩを判断するための時間周波数リソースは、システム帯域幅、たとえば、サブバンド、１つまたは複数のリソースブロックなどの全部または一部とすることができる。リソースは、ＳＦＩ要求によって（たとえば、リソースインデックスによって）明示的に示されるか、または暗黙的に搬送（たとえば、ＳＦＩ要求が送信されるリソースにリンク）される。
【００８２】
ＳＦＩ要求の優先度は様々なファクタに基づいて判断できる。１つの設計では、優先度は中〜長期効用関数に基づいて判断できる。優先度は、長期優先度に対する短期優先度の差をも含むことができる。優先度は、シグナリングオーバーヘッドを低減するために、少数の値（たとえば、１〜２ビット）に量子化できる。１つの設計では、優先度は、送信するデータのタイプ、たとえばベストエフォート（ＢＥ）、保証付き転送（ＡＦ）、優先転送（ＥＦ）などによって判断できる。
【００８３】
１つの設計では、干渉セルのためのＳＦＩは以下のうちの１つまたは複数を含むことができる。
【００８４】
・空間ヌル化情報、たとえば、干渉セルのためのＣＤＩまたはＰＭＩ、サービングセルのためのＣＤＩまたはＰＭＩなど、
・送信ヌル化利得および／または受信ヌル化利得、
・干渉セルによる干渉を低減する時間周波数リソース、
・ＵＥのためのターゲット干渉レベル、
・干渉セルによる干渉を低減したいという要求の優先度、
・フィードバック情報のタイプ、および／または
・他の情報。
【００８５】
干渉セルのためのＣＤＩまたはＰＭＩ、およびサービングセルのためのＣＤＩまたはＰＭＩは、上述のように判断できる。各セルのためのＣＤＩ／ＰＭＩは、所望の送信ヌル化パフォーマンスを達成するために十分な解像度（たとえば、８〜１０ビット）を備えることができる。サービングセルは、異なるセル間の正確なスケジューリング調整を可能にするために、干渉セルのためのＣＤＩ／ＰＭＩとサービングセルのためのＣＤＩ／ＰＭＩとを同時に送信するようにＵＥに要求することができる。上述のように、送信および／または受信ヌル化利得を判断し、報告することもできる。
【００８６】
干渉を低減する時間周波数リソースは、（たとえば、リソースインデックスを用いて）ＳＦＩによって明示的に示されるか、または暗黙的に搬送（たとえば、ＳＦＩが送信されるリソースにリンク）される。時間周波数リソースは、１つのサブフレーム中の１つのサブバンド、１つのサブフレーム中の複数のサブバンド、複数のサブフレームにわたるサブバンド、または何らかの他の時間周波数次元をカバーすることができる。ＳＦＩの優先度はＳＦＩ要求の優先度に等しいとすることができる。（たとえば、５ＭＨｚ帯域幅を超える）広帯域展開では、フィードバックペイロードを低減するために、（たとえば、５ＭＨｚの）帯域幅部分ごとに別々のＳＦＩを送信することができる。フィードバック情報のタイプは、ＳＦＩが、（ｉ）干渉セルとＵＥとの間のチャネルに対応するＣＤＩと、（ｉｉ）ＵＥのサービングセルによって使用できるＰＭＩとを備えるかどうかを示すことができる。情報のいずれか一方または両方のタイプは、干渉セルにおいてスケジューリング決定を行うために有用とすることができる。
【００８７】
１つの設計では、ＵＥに送信されたＲＱＩ要求は、以下のうちの１つまたは複数を含むことができる。
【００８８】
・ＲＱＩを判断するための時間周波数リソース、
・ＲＱＩを送信するために使用するアップリンクリソース、
・ＲＱＩ要求の優先度、および／または
・他の情報。
【００８９】
１つの設計では、ＲＱＩ基準信号は、サブフレームｔ３中に指定されたリソース中のセルによって送信でき、プリコーディング行列と、サブフレームｔ５＝ｔ３＋Δ中の対応するリソース上で使用される可能性がある送信パワーレベルとを搬送することができ、上式で、Δは固定オフセットとすることができる。対応するリソース中の送信パワーレベルは、たとえば、ＱｏＳ、チャネル品質状態などに応じて、ＲＱＩ基準信号中で搬送された送信パワーレベルと同じであるか、またはそれとは異なることがある。１つの設計では、すべてのセルは、それらのＲＱＩ基準信号を同じリソース上で送信することができ、セル固有の異なるスクランブルを使用することができる。これにより、ＵＥは、サービングセルからの所望の信号成分と、干渉セルの異なるスクランブリングコードに基づくこれらのセルからの干渉とを測定することができる。ＲＱＩ基準信号は、オーバーヘッドが比較的小さい、リソース固有のチャネル状態の正確な測定を可能にすることができる。オーバーヘッドの量は所望のリソースグラニュラリティに依存することができる。
【００９０】
１つの設計では、ＵＥからサービングセルへのＲＱＩは、ＲＱＩ要求中に明示的または暗黙的に示される、時間周波数リソースのチャネル品質を搬送することができる。ＲＱＩは、ＵＥへのデータ送信に使用するために、少なくとも１つのレイヤの各々の（たとえば、４ビット以上の）量子化チャネル品質を備えることができる。各レイヤは、サービングセルからＵＥへのＭＩＭＯチャネルにおける空間チャネルに対応することができる。ＲＱＩは、ベースレイヤの量子化チャネル品質と、各追加のレイヤの差分値とを備えることもできる。ＲＱＩは、データ送信に使用するレイヤの数を搬送するために、（たとえば、１または２ビットの）ランクインジケータ（ＲＩ）を備えることもできる。
【００９１】
アップリンク上での空間干渉緩和のためのメッセージおよび送信は、（ｉ）ダウンリンク上での空間干渉緩和に関して上述した情報と同様の情報、および／または（ｉｉ）他の情報を含むことができる。
【００９２】
１つの設計では、ＵＥは、他の送信を除去される制御セグメント上でＳＦＩおよび／またはＲＱＩを送信することができる。たとえば、セルＸは、セルＸにＳＦＩおよび／またはＲＱＩを送信するために、セルＹおよび場合によっては他のセル中のＵＥの制御セグメントを予約することができる。ＵＥは、ＯＦＤＭＡまたはＮｘＳＣ−ＦＤＭＡを使用して、ＳＦＩまたはＲＱＩをセルに送信することができる。
【００９３】
１つの設計では、シグナリングオーバーヘッドを低減するために、空間干渉緩和のためのメッセージおよび送信をサブサンプリングすることができる。たとえば、図２に示すメッセージおよび送信のシーケンスはスケジューリング間隔ごとに１回送信でき、スケジューリング決定（たとえば、選択されたプリコーディング行列および送信パワーレベル）はスケジューリング間隔全体に対して有効とすることができる。スケジューリング間隔は、１つのインターレース中のＭ個のサブフレームまたは何らかの他の適切な持続期間をカバーすることができる。各インターレースは、Ｌ個のサブフレームだけ離れて離間したサブフレームを含むことができる。異なるインターレースのためのスケジューリング間隔は、サブサンプリングによって初期待ち時間が長くなるのを回避するために、時間的にずらして配置できる。別の設計では、永続的スケジューリングのために、メッセージは、延長時間期間にわたってその妥当性を示す持続性ビットを含むことができる。
【００９４】
図２および図４中のメッセージおよび送信は、様々なチャネル上で送信できる。たとえば、ＬＴＥでは、セルは、物理ダウンリンク制御チャネル（ＰＤＣＣＨ）上でＳＦＩおよびＲＱＩ要求をＵＥに送信することができる。１つの設計では、セルは、他のタイプのメッセージからＳＦＩ要求またはＲＱＩ要求を区別するために、既存のダウンリンク制御情報（ＤＣＩ）フォーマットを使用して、たとえば、巡回冗長検査（ＣＲＣ）のための異なるスクランブルを用いてＳＦＩ要求またはＲＱＩ要求を送信することができる。別の設計では、セルは、新しいＤＣＩフォーマットを使用してＳＦＩ要求またはＲＱＩ要求を送信することができる。セルは、異なるＣＲＣを使用して、複数のＳＦＩ要求またはＲＱＩ要求を１つのＰＤＣＣＨに対応する空間において一緒に送信することができる。セルは、ダウンリンク許可を、ＰＤＣＣＨ上で、スケジュールされたＵＥに送信することもできる。セルは、１つまたは複数のＨＡＲＱ送信において物理ダウンリンク共有チャネル（ＰＤＳＣＨ）上でデータを送信することができる。セルは、ＰＤＳＣＨ上で、専用基準信号を、スケジュールされたＵＥに送信することもできる。
【００９５】
ＵＥは、ＳＦＩ、ＲＱＩ、および／またはＡＣＫ情報を、（ｉ）制御情報だけを送信する場合は物理アップリンク制御チャネル（ＰＵＣＣＨ）上で、または（ｉｉ）データおよび制御情報を両方とも送信する場合は物理アップリンク共有チャネル（ＰＵＳＣＨ）上で送信することができる。したがって、データをも送信する場合は、ＳＦＩおよびＲＱＩをバンド内で送信することができる。ＰＵＣＣＨは、１つのサブフレーム中の２つのリソースブロック（ＲＢ）上で、最高１２の情報ビットを搬送することができる。１２の情報ビットは（２０、１２）ブロック符号を用いて符号化されて２０の符号ビットを得ることができ、これがさらに処理され、２つのＲＢ上で送信される。１つの設計では、ＳＦＩのためのＱビット（たとえば、１３〜１６ビット）のより大きいペイロードはより高い（たとえば、２０、Ｑ）符号レートをもつＰＵＣＣＨ上で送信でき、ここで、Ｑは１２よりも多いとすることができる。別の設計では、より大きいペイロードを新しいＰＵＣＣＨフォーマットで送信することができる。ペイロードは、畳み込み符号またはリード−マラー(Reed-Muller)符号を用いて符号化でき、２つのハーフＲＢにわたって送信できる。各ハーフＲＢは、６つまたは７つのシンボル期間の１つのスロット中に６つのサブキャリアをカバーすることができ、スロットの中心の２つのシンボル期間中に基準信号を含むことができる。さらに別の設計では、より大きいペイロードを複数の部分に分割することができ、既存のＰＵＣＣＨフォーマットを使用して各部分を送信することができる。複数の部分は、部分ごとにより高い送信パワーの使用を可能にするために、ＮｘＳＣ−ＦＤＭＡをもつ同じサブフレーム中、または異なるサブフレーム中のサブキャリアの異なるセット上で送信できる。図２および図４中の様々なメッセージおよび送信は、他のデータチャネルおよび／または制御チャネル上でも送信できる。
【００９６】
本明細書で説明する空間干渉緩和技法は、ダウンリンク上でアップリンクと同様に次元を増加させることができる。本技法は、（たとえば、カバレージ拡張のための）無計画展開、制限付き関連付けシナリオ、および他のシナリオにおいて実質的な利得を与えることができる。本技法は、少数の近接セル（たとえば、フェムト展開）からの高い干渉を観測する少数の被サービスＵＥをもつシナリオ、およびバースト的なトラフィックシナリオにおいて特に有利とすることができる。
【００９７】
本明細書で説明する技法は、サイト間パケット共有（ＩＳＰＳ）および協調サイレンシング（ＣＳ）のためにも使用できる。ＩＳＰＳでは、（同じまたは異なるｅＮＢの）複数のセルが、パケットを単一のＵＥに送信することができる。各セルは、ＵＥによって判断される、そのセルのためのプリコーディング情報に基づいて、ＵＥにそのデータ送信を送信することができる。ＩＳＰＳでは、サービングセル以外の各セルは、ＵＥからのプリコーディング情報に基づいて（ＵＥから離れるのではなく）ＵＥのほうへその送信をステアリングすることができる。ＣＳでは、干渉セルは、近接セルにおけるＵＥへの干渉を低減するために、その送信パワーを（場合によっては０に）低減することができる。干渉セルは、ＵＥから離れるようにステアリングすべきかまたは単にその送信パワーを低減すべきかを判断することができる。
【００９８】
図５に、ワイヤレス通信ネットワークにおいて、空間干渉緩和を用いてデータを送信するためのプロセス５００の設計を示す。プロセス５００は、ダウンリンク上でのデータ送信のためのセル、アップリンク上でのデータ送信のためのＵＥ、または何らかの他のエンティティとすることができる第１の局によって実行できる。
【００９９】
第１の局（たとえば、セル）は、第１の局と通信していない第２の局（たとえば、被干渉ＵＥ）からＳＦＩを受信する（ブロック５１２）。第２の局は、第２の局のサービングセルまたは第１の局によって第２の局に送信されたＳＦＩ要求に応答して、ＳＦＩを第１の局に送信する。第１の局がＳＦＩ要求を第３の局（たとえば、被サービスＵＥ）に送信し、第３の局がＳＦＩを判断して１つまたは複数の他の干渉局に送信することもできる。したがって、ＳＦＩはポーリング時またはオンデマンドで送信できる。第１の局は第３の局からプリコーディング情報（たとえば、ＣＤＩまたはＰＭＩ）を受信する（ブロック５１４）。第１の局は、第２の局への干渉を低減するためにプリコーディング情報とＳＦＩとに基づいてデータ送信を第３の局に送信する（ブロック５１６）。
【０１００】
１つの設計では、ＳＦＩは第１の局のための空間ヌル化情報（たとえば、ＣＤＩまたはＰＭＩ）を備えることができる。次いで、第１の局は、第２の局から離れる方向にデータ送信をステアリングするために空間ヌル化情報に基づいてデータ送信を送信する。たとえば、第１の局は第２の局からのＳＦＩと第３の局からのプリコーディング情報とに基づいてプリコーディング行列を選択する。次いで、第１の局はプリコーディング行列に基づいてデータ送信を第３の局に送信する。
【０１０１】
別の設計では、ＳＦＩは、空間ヌル化情報と、第１の局による空間ヌル化情報の使用による第２の局への干渉の低減を示す送信ヌル化利得とを備える。第１の局は、送信ヌル化利得に基づいて送信パワーレベルを判断し、その送信パワーレベルでデータ送信を送信する。さらに別の設計では、ＳＦＩは、第２の局による受信機空間処理の使用による第２の局への干渉の低減を示す受信ヌル化利得を備える。第１の局は、受信ヌル化利得に基づいて送信パワーレベルを判断し、その送信パワーレベルでデータ送信を送信する。
【０１０２】
ダウンリンク上でのデータ送信では、第１の局はサービングセルを備え、第２の局は被干渉ＵＥを備え、第３の局は被サービスＵＥを備えることができる。サービングセルは、被干渉ＵＥから直接ＳＦＩを受信することができる。代替的に、サービングセルは、別のセルを介して被干渉ＵＥから間接的にＳＦＩを受信することができる。アップリンク上でのデータ送信では、第１の局はＵＥを備え、第２の局は被干渉セルを備え、第３の局はＵＥのためのサービングセルを備えることができる。
【０１０３】
図６に、空間干渉緩和を用いてデータを送信するための装置６００の設計を示す。装置６００は、第１の局において、第１の局と通信していない第２の局によって送信されたＳＦＩを受信するためのモジュール６１２と、第３の局からプリコーディング情報を受信するためのモジュール６１４と、第２の局への干渉を低減するためにプリコーディング情報とＳＦＩとに基づいて第１の局からのデータ送信を第３の局に送信するためのモジュール６１６とを含む。
【０１０４】
図７に、ワイヤレス通信ネットワークにおいて、空間干渉緩和を用いてデータを受信するためのプロセス７００の設計を示す。プロセス７００は、ダウンリンク上でのデータ送信のためのＵＥ、アップリンク上でのデータ送信のためのセル、または何らかの他のエンティティとすることができる第１の局によって実行できる。
【０１０５】
第１の局（たとえば、ＵＥ）は、第１の局と通信していない第２の局（たとえば、干渉セル）のためのＳＦＩを送信せよというＳＦＩ要求を受信する（ブロック７１２）。１つの設計では、ＳＦＩ要求は、第１の局と通信している第３の局（たとえば、サービングセル）によって送信される。別の設計では、ＳＦＩ要求は第２の局によって送信される。いずれの場合も、ＳＦＩ要求に応答して、第１の局は第２の局のためのＳＦＩを判断する（ブロック７１４）。第１の局は、ＳＦＩを第２の局に送信するか、または第３の局に送信し、第３の局が第２の局にＳＦＩをフォワーディングする（ブロック７１６）。第１の局は、第３の局のためのプリコーディング情報（たとえば、ＣＤＩまたはＰＭＩ）を判断し（ブロック７１８）、プリコーディング情報を第３の局に送信する（ブロック７２０）。その後、第１の局は、プリコーディング情報に基づいて第３の局によって送信されたデータ送信を受信する（ブロック７２２）。第１の局はまた、第１の局への干渉を低減するためにＳＦＩに基づいて第２の局によって別の局に送信された送信を受信する（ブロック７２４）。
【０１０６】
１つの設計では、ＳＦＩは空間ヌル化情報を備える。第１の局は、第２の局から第１の局へのチャネル応答を判断する。次いで、第１の局は、第１の局への干渉を低減するためにチャネル応答に基づいてプリコーディング行列のコードブックからプリコーディング行列を選択する。空間ヌル化情報は、選択されたプリコーディング行列、第２の局のためのＣＤＩまたはＰＭＩ、第３の局のためのＣＤＩまたはＰＭＩなどを備える。いずれの場合も、第２の局は、第１の局から離れる方向に送信をステアリングするために、空間ヌル化情報に基づいてその送信を送信する。
【０１０７】
別の設計では、ＳＦＩは、空間ヌル化情報と送信ヌル化利得とを備える。その場合、第２の局は、送信ヌル化利得に基づいて判断された送信パワーレベルでその送信を送信する。さらに別の設計では、ＳＦＩは受信ヌル化利得を備える。その場合、第２の局は、受信ヌル化利得に基づいて判断された送信パワーレベルでその送信を送信する。
【０１０８】
ダウンリンク上でのデータ送信では、第１の局はＵＥを備え、第２の局は干渉セルを備え、第３の局はＵＥのためのサービングセルを備えることができる。ＵＥは、ＳＦＩを干渉セルに直接送信することができる。代替的に、ＵＥはＳＦＩをサービングセルに送信し、サービングセルはＳＦＩを干渉セルにフォワーディングすることができる。アップリンク上でのデータ送信では、第１の局はセルを備え、第２の局は干渉ＵＥを備え、第３の局はセルによってサービスされるＵＥを備えることができる。
【０１０９】
図８に、空間干渉緩和を用いてデータを受信するための装置８００の設計を示す。装置８００は、第１の局において、第１の局と通信していない第２の局のためのＳＦＩを送信せよというＳＦＩ要求を受信するためのモジュール８１２と、第２の局のためのＳＦＩを判断するためのモジュール８１４と、ＳＦＩをたとえば第２の局に送信するためのモジュール８１６と、第３の局のためのプリコーディング情報を判断するためのモジュール８１８と、プリコーディング情報を第３の局に送信するためのモジュール８２０と、プリコーディング情報に基づいて第３の局によって第１の局に送信されたデータ送信を受信するためのモジュール８２２と、第１の局への干渉を低減するためにＳＦＩに基づいて第２の局によって別の局に送信された送信を受信するためのモジュール８２４とを含む。
【０１１０】
図６および図８のモジュールは、プロセッサ、電子デバイス、ハードウェアデバイス、電子構成要素、論理回路、メモリ、ソフトウェアコード、ファームウェアコードなど、またはそれらの任意の組合せを備えることができる。
【０１１１】
図９に、図１の基地局／ｅＮＢの１つである基地局／ｅＮＢ１１０および図１のＵＥの１つであるＵＥ１２０の設計のブロック図を示す。基地局１１０はＴ個のアンテナ９３４ａ〜９３４ｔを備え、ＵＥ１２０はＲ個のアンテナ９５２ａ〜９５２ｒを備えることができ、ただし一般にＴ≧１およびＲ≧１である。
【０１１２】
基地局１１０において、送信プロセッサ９２０は、データソース９１２からデータを受信し、コントローラ／プロセッサ９４０からメッセージを受信する。たとえば、コントローラ／プロセッサ９４０は、図２および図４に示す空間干渉緩和のためのメッセージを供給する。送信プロセッサ９２０は、データおよびメッセージを処理（たとえば、符号化、インターリーブ、およびシンボルマッピング）し、それぞれデータシンボルおよび制御シンボルを供給する。送信プロセッサ９２０はまた、ＲＱＩ基準信号および／または他の基準信号またはパイロットのための基準シンボルを発生する。送信（ＴＸ）多入力多出力（ＭＩＭＯ）プロセッサ９３０は、適用可能な場合、データシンボル、制御シンボル、および／または基準シンボルに対して空間処理（たとえば、プリコーディング）を実行し、Ｔ個の出力シンボルストリームをＴ個の変調器（ＭＯＤ）９３２ａ〜９３２ｔに供給する。各変調器９３２は、（たとえば、ＯＦＤＭなどの）それぞれの出力シンボルストリームを処理して出力サンプルストリームを得る。各変調器９３２はさらに、出力サンプルストリームを処理（たとえば、アナログへの変換、増幅、フィルタ処理、およびアップコンバート）して、ダウンリンク信号を得る。変調器９３２ａ〜９３２ｔからのＴ個のダウンリンク信号は、それぞれＴ個のアンテナ９３４ａ〜９３４ｔを介して送信される。
【０１１３】
ＵＥ１２０において、アンテナ９５２ａ〜９５２ｒは、基地局１１０からダウンリンク信号を受信し、受信信号をそれぞれ復調器（ＤＥＭＯＤ）９５４ａ〜９５４ｒに供給する。各復調器９５４は、それぞれの受信信号を調整（たとえば、フィルタ処理、増幅、ダウンコンバート、およびデジタル化）して、入力サンプルを得る。各復調器９５４はさらに、（たとえば、ＯＦＤＭなどの）入力サンプルを処理して受信シンボルを得る。ＭＩＭＯ検出器９５６は、Ｒ個の復調器９５４ａ〜９５４ｒのすべてから受信シンボルを得て、適用可能な場合は受信シンボルに対してＭＩＭＯ検出を実行し、検出されたシンボルを供給する。受信プロセッサ９５８は、検出されたシンボルを処理（たとえば、復調、デインターリーブ、および復号）し、ＵＥ１２０の復号されたデータをデータシンク９６０に供給し、復号されたメッセージをコントローラ／プロセッサ９８０に供給する。
【０１１４】
アップリンク上で、ＵＥ１２０において、送信プロセッサ９６４は、データソース９６２からのデータと、コントローラ／プロセッサ９８０からの（たとえば、空間干渉緩和のための）メッセージとを受信し処理する。送信プロセッサ９６４はまた、ＲＱＩ基準信号および／または他の基準信号またはパイロットのための基準シンボルを発生する。送信プロセッサ９６４からのシンボルは、適用可能な場合はＴＸ  ＭＩＭＯプロセッサ９６６がプリコードし、さらに変調器９５４ａ〜９５４ｒが処理し、基地局１１０に送信する。基地局１１０において、ＵＥ１２０からのアップリンク信号は、アンテナ９３４によって受信され、復調器９３２によって処理され、適用可能な場合はＭＩＭＯ検出器９３６によって検出され、さらに受信プロセッサ９３８によって処理されて、ＵＥ１２０によって送信された復号データおよびメッセージを得る。
【０１１５】
コントローラ／プロセッサ９４０および９８０は、それぞれ基地局１１０およびＵＥ１２０における動作を指示する。基地局１１０におけるプロセッサ９４０および／または他のプロセッサおよびモジュールは、図５のプロセス５００、図７のプロセス７００、および／または本明細書で説明する技法のための他のプロセスを実行または指示する。ＵＥ１２０におけるプロセッサ９８０および／または他のプロセッサおよびモジュールは、プロセス５００、プロセス７００、および／または本明細書で説明する技法のための他のプロセスを実行または指示する。メモリ９４２および９８２は、それぞれ基地局１１０およびＵＥ１２０のためのデータおよびプログラムコードを記憶する。スケジューラ９４４は、ダウンリンクおよび／またはアップリンク上でのデータ送信についてＵＥをスケジュールし、スケジュールされたＵＥにリソース許可を与える。
【０１１６】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１１７】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１１８】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１１９】
本明細書の開示に関して説明する方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣはユーザ端末中に常駐することができる。代替として、プロセッサおよび記憶媒体は、ユーザ端末中に個別構成要素として常駐することができる。
【０１２０】
１つまたは複数の例示的な設計では、説明した機能を、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク(登録商標)（disc）、光ディスク（disc）、デジタル多用途ディスク（disc）（ＤＶＤ）、フロッピー(登録商標)ディスク（disk）およびブルーレイディスク(登録商標)（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１２１】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
0005646461.tif 000010
【図２】
0005646461.tif 000011
【図３Ａ】
0005646461.tif 000012
【図３Ｂ】
0005646461.tif 000013
【図３Ｃ】
0005646461.tif 000014
【図３Ｄ】
0005646461.tif 000015
【図４】
0005646461.tif 000016
【図５】
0005646461.tif 000017
【図６】
0005646461.tif 000018
【図７】
0005646461.tif 000019
【図８】
0005646461.tif 000020
【図９】
0005646461.tif 000021